(57)【特許請求の範囲】
【請求項１】
ベンチとして使用でき、かまどとしても使用できるかまど兼用ベンチであって、
設置箇所に配置される一対の側壁部と、前記一対の側壁部の間に配置されて固定される座部と、前記座部の下方に位置するもので調理器具を支持でき、前記一対の側壁部に固定される五徳部と、覆い部とを備え、
前記座部は、かまど兼用ベンチをかまどとして使用する場合に、前記一対の側壁部からの取り外しが可能であり、
かまど兼用ベンチをベンチとして使用する場合に、前記座部と前記五徳部との間には、少なくともかまど兼用ベンチをかまどとして使用する場合に用いる収納物を収納可能な収納部が形成され、
前記覆い部は、前記座部または前記五徳部の少なくとも一方に備えられ、かまど兼用ベンチをベンチとして使用する場合に、前記収納部を外部から見えにくくするかまど兼用ベンチ。
【請求項２】
かまど兼用ベンチをベンチとして使用する場合に、前記座部と前記五徳部とが連結部材を介して連結される請求項１に記載のかまど兼用ベンチ。
【請求項３】
前記連結部材は棒状で、前記五徳部を貫通して当該五徳部の下方に突出した状態で締結可能に構成され、
前記覆い部は、かまど兼用ベンチをベンチとして使用する場合に、前記連結部材のうち前記五徳部の下方に突出した部分を外部から見えにくくする請求項２に記載のかまど兼用ベンチ。
【請求項４】
前記連結部材は棒状で、前記五徳部を貫通して当該五徳部の下方に突出した状態で締結可能に構成され、
前記五徳部は、かまど兼用ベンチをベンチとして使用する場合に、前記連結部材のうち前記五徳部の下方に突出した部分を外部から見えにくくする垂下部を備える請求項２に記載のかまど兼用ベンチ。
【請求項５】
かまど兼用ベンチをベンチとして使用する場合に、前記収納部に防風板及び椅子用脚部が収納され、
かまど兼用ベンチをかまどとして使用する場合に、前記防風板は前記五徳部の後方に取り付けられ、前記椅子用脚部は前記一対の側壁部から取り外した状態の前記座部に取り付けることにより椅子として使用できる請求項１〜４のいずれかに記載のかまど兼用ベンチ。
【発明の詳細な説明】
【技術分野】
【０００１】
本発明は、ベンチとして使用でき、かまどとしても使用できるかまど兼用ベンチに関する。
【背景技術】
【０００２】
従来、平常時にはベンチとして使用でき、地震等の災害発生時にはかまどとして使用できるかまど兼用ベンチが提案されている。一例として特許文献１に示すものがある。
【０００３】
特許文献１に記載されたかまど兼用ベンチは、公園等に設置されるもので、コンクリート製の一対の支持台と、この一対の支持台の間に設けられた座部を備える。そして、座部の下方にはステンレス製のグリルとグレーチング、そして風防パネル等が収納されている。災害発生時には、支持台から座部を取り外し、その後、グリル、グレーチング、風防パネルを支持台の所定位置に取り付ける。これにより、グリル上に置いた鍋やフライパンなどの調理器具を、グレーチング上に置いた材木などの燃料を燃やして加熱し、食材の煮炊きを行うことができる。
【０００４】
この特許文献１に記載されたかまど兼用ベンチでは、グリル、グレーチング、風防パネル等の収納物が座部の下方に収納されていることが外部から視認可能な状態となっている。このため、いたずらによって収納物が取り出されたり、金属材料として売却することを目的として収納物が盗難に遭ったりすることがあり得る。よって、災害発生時に収納物が揃っておらず、かまど兼用ベンチが十分に活用できない場合がある。
【０００５】
一方、いたずらや盗難を防止するために収納物を固定して施錠することが考えられる。しかし、そうすると、災害発生時にベンチの状態からかまどの状態に変えることが容易にできなくなるため、せっかくこのかまど兼用ベンチを公園等に設置しておいても、災害発生時に十分に活用できない場合がある。
【先行技術文献】
【特許文献】
【０００６】
【特許文献１】特許第４３９７４２８号公報
【発明の概要】
【発明が解決しようとする課題】
【０００７】
そこで本発明は前記問題に鑑み、いたずらや収納物の盗難を抑制しつつ、ベンチの状態からかまどの状態に変えることが容易なかまど兼用ベンチを提供することを課題とする。
【課題を解決するための手段】
【０００８】
本発明は、ベンチとして使用でき、かまどとしても使用できるかまど兼用ベンチであって、設置箇所に配置される一対の側壁部と、前記一対の側壁部の間に配置されて固定される座部と、前記座部の下方に位置するもので調理器具を支持でき、前記一対の側壁部に固定される五徳部と、覆い部とを備え、前記座部は、かまど兼用ベンチをかまどとして使用する場合に、前記一対の側壁部からの取り外しが可能であり、かまど兼用ベンチをベンチとして使用する場合に、前記座部と前記五徳部との間には、少なくともかまど兼用ベンチをかまどとして使用する場合に用いる収納物を収納可能な収納部が形成され、前記覆い部は、前記座部または前記五徳部の少なくとも一方に備えられ、かまど兼用ベンチをベンチとして使用する場合に、前記収納部を外部から見えにくくするかまど兼用ベンチである。
【０００９】
この構成によると、覆い部により収納部が外部から見えにくい。これにより、かまど兼用ベンチの周囲に居る者に対し、いたずらや盗難に関する動機を生じさせにくい。
【００１０】
また、かまど兼用ベンチをベンチとして使用する場合に、前記座部と前記五徳部とが連結部材を介して連結される。
【００１１】
この構成によると、座部と五徳部とが連結部材を介して連結される。これにより、座部を安易に取り外すことができなくなる。よって、いたずらや盗難を抑制できる。
【００１２】
また、前記連結部材は棒状で、前記五徳部を貫通して当該五徳部の下方に突出した状態で締結可能に構成され、前記覆い部は、かまど兼用ベンチをベンチとして使用する場合に、前記連結部材のうち前記五徳部の下方に突出した部分を外部から見えにくくする。
【００１３】
この構成によると、覆い部により、連結部材のうち五徳部の下方に突出した部分が外部から見えにくい。これにより、かまど兼用ベンチの周囲に居る者に対し、連結部材を取り外そうとする動機を生じさせにくい。
【００１４】
また、前記連結部材は棒状で、前記五徳部を貫通して当該五徳部の下方に突出した状態で締結可能に構成され、前記五徳部は、かまど兼用ベンチをベンチとして使用する場合に、前記連結部材のうち前記五徳部の下方に突出した部分を外部から見えにくくする垂下部を備える。
【００１５】
この構成によると、垂下部により、連結部材のうち前記五徳部の下方に突出した部分が外部から見えにくい。これにより、かまど兼用ベンチの周囲に居る者に対し、連結部材を取り外そうとする動機を生じさせにくい。
【００１６】
また本発明は、かまど兼用ベンチをベンチとして使用する場合に、前記収納部に防風板及び椅子用脚部が収納され、かまど兼用ベンチをかまどとして使用する場合に、前記防風板は前記五徳部の後方に取り付けられ、前記椅子用脚部は前記一対の側壁部から取り外した状態の前記座部に取り付けることにより椅子として使用できる。
【００１７】
この構成によると、かまど兼用ベンチをかまどとして使用する場合に、五徳部の後方に取り付けた防風板により、燃料の燃焼が風の影響を受けにくくできる。そして、取り外した状態の座部を椅子として使用できるため、座部を有効に活用できる。
【発明の効果】
【００１８】
本発明によると、かまど兼用ベンチの周囲に居る者に対し、いたずらや盗難に関する動機を生じさせにくい。これにより、本発明のかまど兼用ベンチは、いたずらや収納物の盗難を抑制しつつ、ベンチの状態からかまどの状態に変えることが容易である。
【図面の簡単な説明】
【００１９】
【図１】本発明につき、一実施形態に係るかまど兼用ベンチを示す斜視図である。
【図２】図１のＡ−Ａ矢視縦断面図である。
【図３】図１のＢ−Ｂ矢視縦断面図である。
【図４】同かまど兼用ベンチをかまどとして使用した状態を示す、後方からの斜視図である。
【図５】同かまど兼用ベンチをベンチとして使用した状態を示す正面図である。
【発明を実施するための形態】
【００２０】
次に、本発明につき、一実施形態を取り上げて説明を行う。下記における方向の表示は、図１に示す状態であるかまど兼用ベンチの図示右下側から見た方向を基準とする。つまり、図示右下方向を「前方」、図示左上方向を「後方」、図示右上方向を「右方」、図示左下方向を「左方」とする。「右方」「左方」を総称して「側方」と表示する。また、内外方向の表示は、一対の側壁部と座部とに囲まれた空間に近い側を「内側」と、前記空間から遠い側を「外側」と表示する。なお、本発明が下記において説明する方向の態様のみに限定解釈されないことは言うまでもない。
【００２１】
図１に示すように、本実施形態のかまど兼用ベンチ１は、設置箇所に配置される３個（二対）の側壁部２ａ，２ｂと、側壁部２ａ，２ｂの各対をそれぞれ連結する座部３，３を備える。図示のようにかまど兼用ベンチ１をベンチとして使用する場合、座部３，３は各対の側壁部２ａ，２ｂの間に配置され、後述の連結部材５により固定される。ここで、「側壁部２ａ，２ｂの間」とは、側壁部２ａ，２ｂの上方に座部３が掛け渡される態様も含む。本実施形態のかまど兼用ベンチ１は、２個の外方側壁部２ａと１個の中央側壁部２ｂとを備え、中央側壁部２ｂは各対を兼用している。座部３の下方には五徳部４が位置する。図２及び図３に示すように、座部３と五徳部４との間には、かまど兼用ベンチ１をかまどとして使用する場合に用いる収納物を収納可能な収納部Ｓが形成される。この収納部Ｓには収納物として、防風板６及び吊下フック６１（収納状態は図示せず、図４に使用状態を示す）、灰受け板７、椅子用脚部８が収納される。
【００２２】
外方側壁部２ａと中央側壁部２ｂは耐熱（耐火）性を有するモルタル製で、側方視による形状が長方形の板状体である。本実施形態における具体的寸法は、外方側壁部２ａについては長方形の長辺が４００mm、短辺が３７５mm、中央側壁部２ｂについては長方形の長辺が５００mm、短辺が３７５mmとされており、いずれも上下方向に長い長方形である。長方形の四隅はアール形状とされている。耐熱（耐火）性を有するため、かまど兼用ベンチ１をかまどとして使用する場合に燃料から発する炎に各側壁部２ａ，２ｂが面しても、炎上や炭化が発生しない。
【００２３】
外方側壁部２ａに比べて中央側壁部２ｂは長辺寸法が大きい。このため、かまど兼用ベンチ１をベンチとして使用する場合には、図１に示すように中央側壁部２ｂが上方に突出する。このため、利用者が座部３に寝そべることを抑制できる。また、ベンチとして使用する場合に、この中央側壁部２ｂを肘掛けとして用いることもできる。
【００２４】
各側壁部２ａ，２ｂは設置箇所の表面（地面やコンクリート面など）に接するように配置される。外方側壁部２ａにおける前記長方形のうち上側の短辺に対応する位置と、中央側壁部２ｂにおける前記位置と同一高さの位置とを連結するように座部３が設けられている。各側壁部２ａ，２ｂの内壁には突出部２１が形成されており、この突出部２１の上面に五徳部４が載置される。座部３はこの五徳部４に載置される。
【００２５】
各側壁部２ａ，２ｂの材料はモルタルに限定されるものではなく、耐熱（耐火）性を有することで、燃料から発する熱により破損しにくい種々の不燃材料から形成できる。不燃材料としては、金属、天然石、陶器、不燃処理を施した木材あるいは樹脂が例示できる。また、難燃材料と不燃材料とを組み合わせても良い。
【００２６】
座部３は、かまど兼用ベンチ１をベンチとして使用する場合、及び、かまどとして使用する場合における仮設椅子１０（図４参照）の状態で、上面に利用者が座ることができる。座部３は、短冊状である４本の長板３１が平行に並べられて構成されている。各長板３１のうち座部３の前端と後端とに配置されるものは、各側壁部２ａ，２ｂの四隅がアール形状とされたことに合わせ、上側隅部がアール形状とされている。各長板３１は、座部３の左右両端に位置する載置用脚部３２にボルト止めで固定される。そして、「ベンチ」の状態では図３に示すように、載置用脚部３２が五徳部４に載置される。
【００２７】
長板３１は、ポリエチレン等の熱可塑性樹脂に木粉を混合したもので形成されている。このため、木材に比べて耐候性に優れる。なお、かまどとして使用する場合に、仮設椅子１０は火気の近くで使用される可能性があることから、耐熱性を高めるため、樹脂として耐熱樹脂を用いることもできる。また、この長板３１において表面に現れる部分以外には、再生樹脂を用いることができる。このように再生樹脂を用いることで資源の節約に貢献できる。
【００２８】
座部３は各側壁部２ａ，２ｂから取り外し可能である。座部３を取り外すことにより、各側壁部２ａ，２ｂに挟まれた空間に燃料を配置できる状態となる。この状態では、図４に示すようにかまど兼用ベンチ１をかまどとして使用できる。
【００２９】
覆い部３３は座部３に備えられ、図５に示すように、座部３が各側壁部２ａ，２ｂに取り付けられた場合に収納部Ｓを外部から見えにくくする。本実施形態では、五徳部４を外部から見えにくくすると共に、収納部Ｓに収納された防風板６、吊下フック６１、灰受け板７、椅子用脚部８等の収納物を外部から見えにくくしているが、五徳部４に関しては外部から見える状態となっていても良い。このように、収納部Ｓを外部から見えにくくすることにより、「ベンチ」の状態であるかまど兼用ベンチ１の周囲に居る者が、座部３の下方に何があるかを視認できにくいため、この者に対し、収納物へのいたずらや盗難に関する動機を生じさせにくい。また、この覆い部３３は、連結部材５のうち、五徳部４の下方に突出した部分を外部から見えにくくする作用、雨水の浸入を防止して収納物または五徳部４を保護する作用、かまど兼用ベンチ１をかまどとして使用した後の煤等が付着して汚れた収納物または五徳部４を隠す作用、座部３を補強して長手方向の撓みを防止する作用を奏する。なお、覆い部３３は座部３でなく五徳部４に備えられても良い。また、覆い部３３は座部３と五徳部４の両方に備えられても良い。
【００３０】
座部３の下面四隅には脚部取付部３４が設けられている。図示していないが、この脚部取付部３４にはナットが埋め込まれている。このナットに椅子用脚部８のボルト部８１がねじ込まれる。
【００３１】
五徳部４は、「ベンチ」の状態にて座部３の下方に位置するもので、かまど兼用ベンチ１をかまどとして使用する場合に、図４に破線で示すように調理器具Ｐを支持できる。この五徳部４はアルミニウム合金製で、中央に五徳用貫通穴４１１を有する円形の五徳部本体４１と、前記五徳用貫通穴４１１に重ねられる調理器具支持部４２から構成されている。五徳部４には、五徳用貫通穴４１１以外に大きな開口が存在しないため、収納部Ｓが外部から見えにくい。これと共に、燃料が燃焼して生じる熱を効果的に調理器具Ｐに伝達できる。また、五徳用貫通穴４１１以外から炎が立ち上がらないので安全である。この五徳部４は、図２及び図３に示すように、各側壁部２ａ，２ｂにおける突出部２１の上面に載置されると共に、各側壁部２ａ，２ｂに対して側方からボルトにより固定されている。五徳部４は突出部２１の上面に載置されるため、ボルトにより固定する前に五徳部４を仮置きでき、固定のための作業性が良い。また、剛性に優れる。また、ボルトによる固定は、ボルトが熱膨張することによる各側壁部２ａ，２ｂの破損を防ぐため、ボルト径よりも大きい貫通穴を各側壁部２ａ，２ｂに形成しておき、各側壁部２ａ，２ｂをボルト・ナットで挟み込むことにより行う。このように五徳部４は、各側壁部２ａ，２ｂに対し、側方及び下方の二方から支持されて固定される。これにより、かまど兼用ベンチ１をかまどとして使用する場合に、燃料が燃焼して生じる熱により五徳部４が熱膨張して歪み、脱落してしまうことを防止できる。
【００３２】
図２に示すように、五徳部４は前後端に垂下部４３を備える。この垂下部４３は、五徳部本体４１の前後端辺から下方に延びる板状の部分であり、連結部材５のうち、五徳部４の下方に突出した部分を外部から見えにくくする。これにより、「ベンチ」の状態であるかまど兼用ベンチ１の周囲に居る者が、連結部材５の前記突出した部分を視認できにくいため、この者に対し、いたずら等で連結部材を取り外そうとする動機を生じさせにくい。また、「かまど」の状態では、燃料が燃焼して生じる熱を、この垂下部４３が効果的に五徳用貫通穴４１１に導くため、熱効率に優れるとともに安全である。この垂下部４３には、図３及び図４に示すように吊下フック６１を取り付けるためのフック貫通穴４３１が形成されている。
【００３３】
また、図２及び図４に示すように、五徳部本体４１には連結部材５のボルト部５１を貫通させる連結部材貫通穴４１２が設けられている。連結部材貫通穴４１２は、五徳部本体４１の１枚につき二箇所が、図示のように五徳用貫通穴４１１を挟んで互い違い（いわゆる千鳥状）に配置されている。
【００３４】
連結部材５は、座部３の下面における、前記五徳部４の連結部材貫通穴４１２に対応する位置に、前後一箇所ずつ互い違い（いわゆる千鳥状）に埋め込まれたボルト部５１と、このボルト部５１にねじ込み可能なナット５２から構成される。図２に示すようにボルト部５１の下部は、「ベンチ」の状態では、五徳部４の連結部材貫通穴４１２から下方に突出する。そして、この突出した部分に対し、下方からナット５２がねじ込まれることで、座部３と五徳部４とが連結される。このようにして座部３と五徳部４とが連結されることにより、座部３を安易に取り外すことができなくなる。よって、いたずら及び収納物の盗難を抑制できる。そして、前記のように五徳部４に垂下部４３が存在することから連結部材５の下部が見えにくい。このため、いたずらを抑制できる。また、この垂下部４３が、燃料が燃焼して生じる熱を効果的に五徳用貫通穴４１１に導くため、熱効率に優れるとともに安全である。
【００３５】
ところで、かまど兼用ベンチ１を「ベンチ」の状態から「かまど」の状態に変える場合には、連結部材５による連結状態を解除する必要がある。「かまど」の状態とすることが必要になるのは災害発生時などであるから、工具類が容易に入手できない可能性が大きい。このことから、ボルト部５１への締結用のナット５２としては、例えば蝶ナット等、手だけで緩めることのできるものとすることが有利である。また、ナット５２を緩めるための工具を、あらかじめ各側壁部２ａ，２ｂ等に固定したり埋め込んだりしておくこともできる。
【００３６】
防風板６は図４に示すように、かまど兼用ベンチ１をかまどとして使用する場合に、五徳部４の後方に吊下フック６１を介して取り付けられる。これにより、燃料の燃焼が風の影響を受けにくくできる。この防風板６は、長手方向に延びる折目の形成により、前後方向の縦断面が略「Ｗ」字状とされている（図２参照）。この形状により強度が保たれ、また、同一形状である灰受け板７と重ねて収納しやすい。防風板６の長辺のうち一辺には、二箇所の吊下穴６１１が貫通している。
【００３７】
吊下フック６１は略「Ｓ」字状のもので、垂下部４３のフック貫通穴４３１と防風板６の吊下穴６１１とに共に引掛けられることで、防風板６を五徳部４に吊り下げることができる。
【００３８】
灰受け板７は、かまど兼用ベンチ１をかまどとして使用する場合に、図４に実線及び二点鎖線で示したように、各側壁部２ａ，２ｂ間の地面等に置かれる。これにより、燃料が燃えることで生じる灰を受けて、灰が地面等に直接接しないようにできる。この灰受け板７は防風板６と同一形態であり、収納時には防風板６と重ねられる。また、この灰受け板７の形状は前後方向の縦断面が略「Ｗ」字状であることから、特に前後端が立ち上げられており（図２参照）、燃料から生じた灰が灰受け板７の外部にこぼれにくい。
【００３９】
椅子用脚部８は、座部３の一箇所につき４本が収納されている。本実施形態では、３個（二対）の側壁部２ａ，２ｂに対応して座部３が２個設けられるため、椅子用脚部８は８本が収納されている。この椅子用脚部８は、側壁部２ａ，２ｂから取り外した状態の座部３に取り付けることにより仮設椅子１０として使用できる。図４に示すように、椅子用脚部８は丸パイプであり、一端にボルト部８１が設けられている。このボルト部８１が、座部３の下面においてナットが埋め込まれた脚部取付部３４にねじ込まれることにより、座部３に椅子用脚部８を取り付けて仮設椅子１０を形成できる。この仮設椅子１０は、例えば、図示のように、かまど兼用ベンチ１の「かまど」部分の周囲に配置され、利用者が腰掛けたり、食材または調理器具を座部３上に置いたりすることができる。このため、座部３を有効に利用でき、「かまど」の状態での使い勝手が良好となる。
【００４０】
各側壁部２ａ，２ｂは、図３及び図５に示すように、各々が対向する側である内壁下部の前後方向中央に固定ブラケット９が備えられており、この固定ブラケット９が設置箇所の表面に埋め込まれたアンカーボルトに対してナット等で固定されることにより、かまど兼用ベンチ１を設置箇所の表面に固定できる。この固定により、かまど兼用ベンチ１を安易に移動させることはできないため、かまど兼用ベンチ１の盗難及びいたずらを抑制できる。
【００４１】
以上、本発明の一実施形態について説明したが、本発明は前記実施形態に限定されるものではなく、本発明の要旨を逸脱しない範囲内において種々の変更を加えることができる。
【００４２】
例えば、側壁部２は一対（２個）を備えていても良いし、三対（４個）以上を備えていても良い。また、側壁部２の側方視による形状は本実施形態のような長方形に限られず、正方形であっても良いし、多角形等他の形状であっても良い。
【００４３】
また、外方側壁部２ａと中央側壁部２ｂは、設置箇所の表面に接するように配置されて固定ブラケット９を用いて固定される以外に、設置箇所に埋め込んで固定されるものであっても良い。
【００４４】
また、座部３は側壁部２ａ，２ｂの間に配置され、連結部材５により固定される以外に、側壁部２ａ，２ｂに直接固定されても良い。
【００４５】
また、連結部材５は、ボルトとナットとの組み合わせ以外に、五徳部４を上下方向に貫通する棒状体と、当該棒状体に座部３と五徳部４とを連結するように取り付けられるピン等の取付部材との組み合わせであっても良い。また、座部３の脚部取付部３４を連結部材５の取り付けのために用いても良い。
【００４６】
最後に、本発明の構成及び作用についてまとめておく。本発明は、ベンチとして使用でき、かまどとしても使用できるかまど兼用ベンチであって、設置箇所に配置される一対の側壁部２ａ，２ｂと、前記一対の側壁部２ａ，２ｂの間に配置されて固定される座部３と、前記座部３の下方に位置するもので調理器具を支持でき、前記一対の側壁部２ａ，２ｂに固定される五徳部４と、覆い部３３とを備え、前記座部３は、かまど兼用ベンチ１をかまどとして使用する場合に、前記一対の側壁部２ａ，２ｂからの取り外しが可能であり、かまど兼用ベンチ１をベンチとして使用する場合に、前記座部３と前記五徳部４との間には、少なくともかまど兼用ベンチ１をかまどとして使用する場合に用いる収納物を収納可能な収納部Ｓが形成され、前記覆い部３３は、前記座部３または前記五徳部４の少なくとも一方に備えられ、かまど兼用ベンチ１をベンチとして使用する場合に、前記収納部Ｓを外部から見えにくくするかまど兼用ベンチ１である。
【００４７】
この構成によると、覆い部３３により収納部Ｓが外部から見えにくい。これにより、かまど兼用ベンチ１の周囲に居る者に対し、いたずらや盗難に関する動機を生じさせにくい。
【００４８】
また、かまど兼用ベンチ１をベンチとして使用する場合に、前記座部３と前記五徳部４とが連結部材５を介して連結される。
【００４９】
この構成によると、座部３と五徳部４とが連結部材５を介して連結される。これにより、座部３を安易に取り外すことができなくなる。よって、いたずらや盗難を抑制できる。
【００５０】
また、前記連結部材５は棒状で、前記五徳部４を貫通して当該五徳部４の下方に突出した状態で締結可能に構成され、前記覆い部３３は、かまど兼用ベンチ１をベンチとして使用する場合に、前記連結部材５のうち前記五徳部４の下方に突出した部分を外部から見えにくくする。
【００５１】
この構成によると、覆い部３３により、連結部材５のうち五徳部４の下方に突出した部分が外部から見えにくい。これにより、かまど兼用ベンチ１の周囲に居る者に対し、連結部材５を取り外そうとする動機を生じさせにくい。
【００５２】
また、前記連結部材５は棒状で、前記五徳部４を貫通して当該五徳部４の下方に突出した状態で締結可能に構成され、前記五徳部４は、かまど兼用ベンチ１をベンチとして使用する場合に、前記連結部材５のうち前記五徳部４の下方に突出した部分を外部から見えにくくする垂下部４３を備える。
【００５３】
この構成によると、垂下部４３により、連結部材５のうち前記五徳部の下方に突出した部分が外部から見えにくい。これにより、かまど兼用ベンチ１の周囲に居る者に対し、連結部材５を取り外そうとする動機を生じさせにくい。
【００５４】
また本発明は、かまど兼用ベンチ１をベンチとして使用する場合に、前記収納部Ｓに防風板６及び椅子用脚部８が収納され、かまど兼用ベンチ１をかまどとして使用する場合に、前記防風板６は前記五徳部４の後方に取り付けられ、前記椅子用脚部８は前記一対の側壁部２ａ，２ｂから取り外した状態の前記座部３に取り付けることにより椅子（仮設椅子）１０として使用できる。
【００５５】
この構成によると、かまど兼用ベンチ１をかまどとして使用する場合に、五徳部４の後方に取り付けた防風板６により、燃料の燃焼が風の影響を受けにくくできる。そして、取り外した状態の座部３を椅子（仮設椅子）１０として使用できるため、座部３を有効に活用できる。
【符号の説明】
【００５６】
１…かまど兼用ベンチ、２ａ…外方側側壁部、２ｂ…中央側側壁部、３…座部、３３…覆い部、４…五徳部、４３…垂下部、５…連結部材、６…防風板、８…椅子用脚部、１０…（仮設）椅子、Ｐ…調理器具、Ｓ…収納部
【図１】
0005753817.tif 000002
【図２】
0005753817.tif 000003
【図３】
0005753817.tif 000004
【図４】
0005753817.tif 000005
【図５】
0005753817.tif 000006